(57)【要約】      （修正有）【課題】入れ子状の二重螺旋導体を提供する。【解決手段】絡み合わせられて螺旋状に巻かれた第一のランナー８８ａおよび第二のランナー８９ａを備える第一の本体８５ａであって、該第一の本体は、第一の重心を有する第一の環形状に配置されている、第一の本体；該第一のランナーの周囲に螺旋状に巻かれた第一の伝導性ワイヤ；該第二のランナーの周囲に螺旋状に巻かれた第二の伝導性ワイヤ；絡み合わせられて螺旋状に巻かれた第三のランナー８８ｂおよび第四のランナー８９ｂを備える第二の本体８５ｂであって、該第二の本体は、該第一の重心の内側で第二の環形状に配置されている、第二の本体；該第三のランナーの周囲に螺旋状に巻かれた第三の伝導性ワイヤ；ならびに該第四のランナーの周囲に螺旋状に巻かれた第四の伝導性ワイヤを備える、電気システム１１５は、該第一の環形状と該第二の環形状とが同心状になるように配置されている、電気システム。【選択図】図１２
2015085195.tif 000002
【特許請求の範囲】
【請求項１】
２本のランナーを備える第一の本体であって、該ランナーは、第一のランナーおよび第二のランナーであり、該第一のランナーと該第二のランナーとは、絡み合わせられて螺旋状に巻かれたランナーであり、該第一の本体は、第一の重心を有する第一の環形状に配置されている、第一の本体；
該第一のランナーの周囲に螺旋状に巻かれた第一の伝導性ワイヤ；
該第二のランナーの周囲に螺旋状に巻かれた第二の伝導性ワイヤ；
２本のランナーを備える第二の本体であって、該ランナーは、第三のランナーおよび第四のランナーであり、該第三のランナーと該第四のランナーとは、絡み合わせられて螺旋状に巻かれたランナーであり、該第二の本体は、該第一の重心の内側で第二の環形状に配置されている、第二の本体；
該第三のランナーの周囲に螺旋状に巻かれた第三の伝導性ワイヤ；ならびに
該第四のランナーの周囲に螺旋状に巻かれた第四の伝導性ワイヤ
を備える、電気システムであって、該第一の本体および該第二の本体は、該第一の環形状と該第二の環形状とが同心状になるように配置されている、電気システム。
【請求項２】
１個または１個より多くの交流電流源をさらに備え、該１個または１個より多くの交流電流源は、前記第一の伝導性ワイヤ、前記第二の伝導性ワイヤ、前記第三の伝導性ワイヤ、および前記第四の伝導性ワイヤと電気的に連結されて交流を供給するように配置されている、請求項１に記載の電気システム。
【請求項３】
前記電気システムは、前記交流が供給されたことに応答して電磁場を発生させるように構成されており、該電磁場は、被験体に治療を提供する、請求項２に記載の電気システム。
【請求項４】
前記交流電流源は、０Ｈｚから４０ＧＨｚで作動する、請求項２に記載の電気システム。
【請求項５】
前記交流電流源は、約２０Ｈｚから約２０ｋＨｚで作動する、請求項２に記載の電気システム。
【請求項６】
前記第一の伝導性ワイヤは、捩られたワイヤであり、前記第二の伝導性ワイヤは、捩られたワイヤであり、前記第三の伝導性ワイヤは、捩られたワイヤであり、そして前記第四の伝導性ワイヤは、捩られたワイヤである、請求項１に記載の電気システム。
【請求項７】
前記第一の伝導性ワイヤが前記第一のランナーと一致する軸を有する螺旋形状に配置されるように、該第一の伝導性ワイヤが該第一のランナーの周囲に螺旋状に巻かれている、請求項１に記載の電気システム。
【請求項８】
前記第一の本体に含まれる前記２本のランナーは、該第一の本体において２回転から１００００回転で配置されている、請求項１に記載の電気システム。
【請求項９】
前記第一の伝導性ワイヤが前記第一のランナーの周囲で、１回転あたり２回から１００００回回転するように、該第一の伝導性ワイヤが螺旋状に巻かれている、請求項１に記載の電気システム。
【請求項１０】
前記第一の本体の平面形状が、円形、楕円形、三角形、正方形、角度のある形状、または多角形のうちの１つである、請求項１に記載の電気システム。
【請求項１１】
前記１個または１個より多くの交流電流源は、第一の電流源および第二の電流源を備え、該第一の電流源は、第一の周波数を有する第一の交流を前記第一の伝導性ワイヤおよび前記第二の伝導性ワイヤに供給し、該第二の電流源は、第二の周波数を有する第二の交流を前記第三の伝導性ワイヤおよび前記第四の伝導性ワイヤに供給する、請求項２に記載の電気システム。
【請求項１２】
前記第一の電流源は、前記第二の電流源と類似の電力レベルで作動する、請求項１１に記載の電気システム。
【請求項１３】
前記第一の電流源は、第一の電力レベルで作動し、前記第二の電流源は、第二の電力レベルで作動し、該第一の電力レベルは、該第二の電力レベルの倍数である、請求項１１に記載の電気システム。
【請求項１４】
前記第一の電流源は、第一の電力レベルで作動し、前記第二の電流源は、第二の電力レベルで作動し、該第二の電力レベルは、該第一の電力レベルの倍数である、請求項１１に記載の電気システム。
【請求項１５】
前記第一の周波数は、前記第二の周波数と類似である、請求項１１に記載の電気システム。
【請求項１６】
前記第一の周波数は、前記第二の周波数と異なる、請求項１１に記載の電気システム。
【請求項１７】
前記第一の周波数は、前記第二の周波数の倍数である、請求項１１に記載の電気システム。
【請求項１８】
前記第二の周波数は、前記第一の周波数の倍数である、請求項１１に記載の電気システム。
【請求項１９】
前記第一の交流は、第一のキャリア信号および第一の変調信号を含み、前記第二の交流は、第二のキャリア信号および第二の変調信号を含む、請求項１１に記載の電気システム。
【請求項２０】
前記第一のキャリア信号は、前記第二のキャリア信号と類似の周波数を有する、請求項１９に記載の電気システム。
【請求項２１】
前記第一のキャリア信号は、前記第二のキャリア信号と異なる周波数を有する、請求項１９に記載の電気システム。
【請求項２２】
前記第一のキャリア信号は無線周波数を有する、請求項２０に記載の電気システム。
【請求項２３】
前記第一の変調信号は、振幅変調、周波数変調、および／または位相変調のうちの１つまたは１つより多くによって変調される、請求項１９に記載の電気システム。
【請求項２４】
前記第一の変調信号は、第一の信号周波数を有し、前記第二の変調信号は、第二の信号周波数を有する、請求項１９に記載の電気システム。
【請求項２５】
前記第一の信号周波数は、前記第二の信号周波数の倍数である、請求項２４に記載の電気システム。
【請求項２６】
前記第一の信号周波数と前記第二の信号周波数とは、協和音程を形成する、請求項２４に記載の電気システム。
【請求項２７】
前記第一の信号周波数と前記第二の信号周波数とは、小さい整数の比を有する音程を形成する、請求項２４に記載の電気システム。
【請求項２８】
前記第一の信号周波数と前記第二の信号周波数とは、音楽用にチューニングされた音程を形成する、請求項２４に記載の電気システム。
【請求項２９】
前記第一の信号周波数と前記第二の信号周波数とは、１２音平均律チューニングされた音程を形成する、請求項２４に記載の電気システム。
【請求項３０】
前記第二の環形状は、第二の重心を有し、前記システムは、
２本のランナーを備える第三の本体であって、該ランナーは、第五のランナーおよび第六のランナーであり、該第五のランナーと該第六のランナーとは、絡み合わせられて螺旋状に巻かれたランナーであり、該第三の本体は、該第二の重心の内側で第三の環形状に配置されている、第三の本体；
該第五のランナーの周囲に螺旋状に巻かれた第五の伝導性ワイヤ；ならびに
該第六のランナーの周囲に螺旋状に巻かれた第六の伝導性ワイヤ
をさらに備え、前記第一の本体と、前記第二の本体と、該第三の本体とは、前記第一の環形状と、該第二の環形状と、該第三の環形状とが同心状になるように配置されている、請求項１に記載の電気システム。
【請求項３１】
コンピュータ読み取り可能な命令によって、
情報を得；
該得られた情報を処理し、そして該得られた情報に基づいて、処理された信号を発生させ、そして
該処理された信号に基づいて、音響信号を生成する
ように構成された１個または１個より多くの物理プロセッサをさらに備え、前記交流は、生成された該音響信号に基づく、請求項２に記載の電気システム。
【請求項３２】
前記得られた情報は、１個または１個より多くのデジタルオーディオファイルを含む、請求項３１に記載の電気システム。
【請求項３３】
前記交流は、前記生成された音響信号に対応するように動的に制御され、その結果、該交流の１つまたは１つより多くの周波数は、該生成された音響信号の１つまたは１つより多くの周波数に対応する、請求項３１に記載の電気システム。
【発明の詳細な説明】
【技術分野】
【０００１】
関連出願
本願は、米国特許第８，６５３，９２５号（発明の名称「Ｄｏｕｂｌｅ  Ｈｅｌｉｘ  Ｃｏｎｄｕｃｔｏｒ」、２０１４年２月１８日発行）に関する。本願は、米国特許出願第１４／１９４，４１２号（発明の名称「Ｈｅａｌｔｈ  Ａｐｐｌｉｃａｔｉｏｎｓ  ｆｏｒ  Ｕｓｉｎｇ  Ｂｉｏ−Ｆｅｅｄｂａｃｋ  ｔｏ  Ｃｏｎｔｒｏｌ  ａｎ  Ｅｌｅｃｔｒｏｍａｇｎｅｔｉｃ  Ｆｉｅｌｄ」、２０１４年２月２８日出願）に関する。これらの関連特許および関連出願は、その全体が本願に参考として援用される。
【０００２】
発明の分野
本発明は、１本または１本より多くの伝導性ワイヤが周囲に巻かれ得る、螺旋状に巻かれたランナーとして構築された複数の本体の組み合わせ物、複数の本体を備えるように構成された電気デバイスおよび／またはシステム、複数の本体の製造方法、ならびに／あるいは複数の本体を備える電気デバイスおよび／またはシステムの製造方法に関する。本発明は、これらのデバイスおよびシステムの操作方法、ならびにその用途に関する。本発明は、電磁場を使用することによって、患者に治療を提供するように構成された電気デバイスおよび／またはシステムに関する。
【背景技術】
【０００３】
発明の背景
螺旋状に巻かれた導電体は、特定の電磁的性質を示し得、そして／あるいは特定の電磁場および／または電磁波を発生させることが公知である。例えば、電磁コイルは、誘導器および／または変圧器の一部として働き得、そして電気回路における確立された有用な多くの用途を有することが公知である。１個または１個より多くの電磁コイルは、例えば、１個または１個より多くの活性電流源が１個または１個より多くのコイルに動作可能に連結される場合にもたらされる電磁場および／または電磁波を利用するために使用され得る。
【発明の概要】
【課題を解決するための手段】
【０００４】
本発明は、例えば、以下を提供する：
（項目１）
２本のランナーを備える第一の本体であって、該ランナーは、第一のランナーおよび第二のランナーであり、該第一のランナーと該第二のランナーとは、絡み合わせられて螺旋状に巻かれたランナーであり、該第一の本体は、第一の重心を有する第一の環形状に配置されている、第一の本体；
該第一のランナーの周囲に螺旋状に巻かれた第一の伝導性ワイヤ；
該第二のランナーの周囲に螺旋状に巻かれた第二の伝導性ワイヤ；
２本のランナーを備える第二の本体であって、該ランナーは、第三のランナーおよび第四のランナーであり、該第三のランナーと該第四のランナーとは、絡み合わせられて螺旋状に巻かれたランナーであり、該第二の本体は、該第一の重心の内側で第二の環形状に配置されている、第二の本体；
該第三のランナーの周囲に螺旋状に巻かれた第三の伝導性ワイヤ；ならびに
該第四のランナーの周囲に螺旋状に巻かれた第四の伝導性ワイヤ
を備える、電気システムであって、該第一の本体および該第二の本体は、該第一の環形状と該第二の環形状とが同心状になるように配置されている、電気システム。
（項目２）
１個または１個より多くの交流電流源をさらに備え、該１個または１個より多くの交流電流源は、上記第一の伝導性ワイヤ、上記第二の伝導性ワイヤ、上記第三の伝導性ワイヤ、および上記第四の伝導性ワイヤと電気的に連結されて交流を供給するように配置されている、上記項目に記載の電気システム。
（項目３）
上記電気システムは、上記交流が供給されたことに応答して電磁場を発生させるように構成されており、該電磁場は、被験体に治療を提供する、上記項目のいずれかに記載の電気システム。
（項目４）
上記交流電流源は、０Ｈｚから４０ＧＨｚで作動する、上記項目のいずれかに記載の電気システム。
（項目５）
上記交流電流源は、約２０Ｈｚから約２０ｋＨｚで作動する、上記項目のいずれかに記載の電気システム。
（項目６）
上記第一の伝導性ワイヤは、捩られたワイヤであり、上記第二の伝導性ワイヤは、捩られたワイヤであり、上記第三の伝導性ワイヤは、捩られたワイヤであり、そして上記第四の伝導性ワイヤは、捩られたワイヤである、上記項目のいずれかに記載の電気システム。
（項目７）
上記第一の伝導性ワイヤが上記第一のランナーと一致する軸を有する螺旋形状に配置されるように、該第一の伝導性ワイヤが該第一のランナーの周囲に螺旋状に巻かれている、上記項目のいずれかに記載の電気システム。
（項目８）
上記第一の本体に含まれる上記２本のランナーは、該第一の本体において２回転から１００００回転で配置されている、上記項目のいずれかに記載の電気システム。
（項目９）
上記第一の伝導性ワイヤが上記第一のランナーの周囲で、１回転あたり２回から１００００回回転するように、該第一の伝導性ワイヤが螺旋状に巻かれている、上記項目のいずれかに記載の電気システム。
（項目１０）
上記第一の本体の平面形状が、円形、楕円形、三角形、正方形、角度のある形状、または多角形のうちの１つである、上記項目のいずれかに記載の電気システム。
（項目１１）
上記１個または１個より多くの交流電流源は、第一の電流源および第二の電流源を備え、該第一の電流源は、第一の周波数を有する第一の交流を上記第一の伝導性ワイヤおよび上記第二の伝導性ワイヤに供給し、該第二の電流源は、第二の周波数を有する第二の交流を上記第三の伝導性ワイヤおよび上記第四の伝導性ワイヤに供給する、上記項目のいずれかに記載の電気システム。
（項目１２）
上記第一の電流源は、上記第二の電流源と類似の電力レベルで作動する、上記項目のいずれかに記載の電気システム。
（項目１３）
上記第一の電流源は、第一の電力レベルで作動し、上記第二の電流源は、第二の電力レベルで作動し、該第一の電力レベルは、該第二の電力レベルの倍数である、上記項目のいずれかに記載の電気システム。
（項目１４）
上記第一の電流源は、第一の電力レベルで作動し、上記第二の電流源は、第二の電力レベルで作動し、該第二の電力レベルは、該第一の電力レベルの倍数である、上記項目のいずれかに記載の電気システム。
（項目１５）
上記第一の周波数は、上記第二の周波数と類似である、上記項目のいずれかに記載の電気システム。
（項目１６）
上記第一の周波数は、上記第二の周波数と異なる、上記項目のいずれかに記載の電気システム。
（項目１７）
上記第一の周波数は、上記第二の周波数の倍数である、上記項目のいずれかに記載の電気システム。
（項目１８）
上記第二の周波数は、上記第一の周波数の倍数である、上記項目のいずれかに記載の電気システム。
（項目１９）
上記第一の交流は、第一のキャリア信号および第一の変調信号を含み、上記第二の交流は、第二のキャリア信号および第二の変調信号を含む、上記項目のいずれかに記載の電気システム。
（項目２０）
上記第一のキャリア信号は、上記第二のキャリア信号と類似の周波数を有する、上記項目のいずれかに記載の電気システム。
（項目２１）
上記第一のキャリア信号は、上記第二のキャリア信号と異なる周波数を有する、上記項目のいずれかに記載の電気システム。
（項目２２）
上記第一のキャリア信号は無線周波数を有する、上記項目のいずれかに記載の電気システム。
（項目２３）
上記第一の変調信号は、振幅変調、周波数変調、および／または位相変調のうちの１つまたは１つより多くによって変調される、上記項目のいずれかに記載の電気システム。
（項目２４）
上記第一の変調信号は、第一の信号周波数を有し、上記第二の変調信号は、第二の信号周波数を有する、上記項目のいずれかに記載の電気システム。
（項目２５）
上記第一の信号周波数は、上記第二の信号周波数の倍数である、上記項目のいずれかに記載の電気システム。
（項目２６）
上記第一の信号周波数と上記第二の信号周波数とは、協和音程を形成する、上記項目のいずれかに記載の電気システム。
（項目２７）
上記第一の信号周波数と上記第二の信号周波数とは、小さい整数の比を有する音程を形成する、上記項目のいずれかに記載の電気システム。
（項目２８）
上記第一の信号周波数と上記第二の信号周波数とは、音楽用にチューニングされた音程を形成する、上記項目のいずれかに記載の電気システム。
（項目２９）
上記第一の信号周波数と上記第二の信号周波数とは、１２音平均律チューニングされた音程を形成する、上記項目のいずれかに記載の電気システム。
（項目３０）
上記第二の環形状は、第二の重心を有し、上記システムは、
２本のランナーを備える第三の本体であって、該ランナーは、第五のランナーおよび第六のランナーであり、該第五のランナーと該第六のランナーとは、絡み合わせられて螺旋状に巻かれたランナーであり、該第三の本体は、該第二の重心の内側で第三の環形状に配置されている、第三の本体；
該第五のランナーの周囲に螺旋状に巻かれた第五の伝導性ワイヤ；ならびに
該第六のランナーの周囲に螺旋状に巻かれた第六の伝導性ワイヤ
をさらに備え、上記第一の本体と、上記第二の本体と、該第三の本体とは、上記第一の環形状と、該第二の環形状と、該第三の環形状とが同心状になるように配置されている、上記項目のいずれかに記載の電気システム。
（項目３１）
コンピュータ読み取り可能な命令によって、
情報を得；
該得られた情報を処理し、そして該得られた情報に基づいて、処理された信号を発生させ、そして
該処理された信号に基づいて、音響信号を生成する
ように構成された１個または１個より多くの物理プロセッサをさらに備え、上記交流は、生成された該音響信号に基づく、上記項目のいずれかに記載の電気システム。
（項目３２）
上記得られた情報は、１個または１個より多くのデジタルオーディオファイルを含む、上記項目のいずれかに記載の電気システム。
（項目３３）
上記交流は、上記生成された音響信号に対応するように動的に制御され、その結果、該交流の１つまたは１つより多くの周波数は、該生成された音響信号の１つまたは１つより多くの周波数に対応する、上記項目のいずれかに記載の電気システム。
（項目３４）
電磁場を使用することによって、被験体に治療を提供する方法であって、該方法は、
電気システムを該被験体上またはその近傍に配置する工程であって、該電気システムは、第一の本体および第二の本体を備え、該第一の本体は、第一のランナーおよび第二のランナーを備え、該第一のランナーと該第二のランナーとは、螺旋状に絡み合わせられており、該第一の本体は、第一の重心を有する第一の環形状に配置されており、第一の伝導性ワイヤが、該第一のランナーの周囲に巻かれており、そして第二の伝導性ワイヤが、該第二のランナーの周囲に巻かれており、該第二の本体は、第三のランナーおよび第四のランナーを備え、該第三のランナーと該第四のランナーとは、螺旋状に絡み合わせられており、該第二の本体は、第二の重心を有する第二の環形状に配置されており、第三の伝導性ワイヤが、該第三のランナーの周囲に巻かれており、そして第四の伝導性ワイヤが、該第四のランナーの周囲に巻かれており、該第二の本体は、該第一の重心の内側で第二の環形状に配置されており、該第一の本体と該第二の本体とは、該第一の環形状と該第二の環形状とが同心状になるように配置されている、工程；
該第一の伝導性ワイヤ、該第二の伝導性ワイヤ、該第三の伝導性ワイヤ、および該第四の伝導性ワイヤを通して、交流を誘導する工程であって、その結果、該交流は、電磁場を該第一の重心および該第二の重心のうちの少なくとも一方またはその近傍にもたらし、該電磁場は、被験体に治療を提供する、工程；
物理プロセッサによって、情報を得る工程；
該得られた情報を処理し、そして該得られた情報に基づいて、処理された信号を発生させる工程；ならびに
該処理された信号に基づいて、音響信号を生成する工程
を包含し、該交流は、生成された該音響信号に基づく、方法。
（項目３５）
上記交流は、上記生成された音響信号に対応するように動的に制御され、その結果、該交流の１つまたは１つより多くの周波数は、該生成された音響信号の１つまたは１つより多くの周波数に対応する、上記項目に記載の方法。
【０００５】
摘要
二重螺旋と類似の基礎構造を有する複数の本体を備える電気システムが、種々の用途のための有用な電磁場を生成するために使用され得る。
【０００６】
要旨
本発明の１つの局面は、複数の本体および伝導性ワイヤを備える電気システムに関する。個々の本体は、絡み合わせられて螺旋状に巻かれた２本のランナーを備え得る。第一のランナーは、支柱によって第二のランナーに連結されている。個々の本体は、環形状に配置され得る。個々の本体は、異なるサイズを有し得、その結果、小さい方の本体は、大きい方の本体の内側に配置され得る。本体は、小さい方の本体と大きい方の本体とが入れ子状になるように配置され得る。これらの伝導性ワイヤは、個々の本体の少なくとも１本のランナーの周囲に螺旋状に巻かれ得る。
【０００７】
本開示のこれらおよび他の目的、特徴、ならびに特性と、構造の関連構成要素および部分の組み合わせの動作の方法ならびに機能と、製造の経済性とは、付随の図面を参照して、以下の説明および添付の特許請求の範囲を検討することによって、より明白となり、その図面は、本明細書の一部を形成し、同様の参照番号が、種々の図中の対応する部分を指定する。しかしながら、図面は、例証および説明の目的にすぎず、任意の限定の定義として意図されないことを明示的に理解されたい。本明細書および特許請求の範囲において使用される場合、単数形「ａ」、「ａｎ」、および「ｔｈｅ」は、文脈によって明確に別様に示されない限り、複数の指示対象を含む。
【図面の簡単な説明】
【０００８】
【図１】図１は、支柱によって連結された、絡み合わせられて螺旋状に巻かれた２本のランナーを備える、例示的な本体の側面図を図示する。
【図２】図２は、支柱によって連結された、絡み合わせられて螺旋状に巻かれた２本のランナーを備える、例示的な本体の等角図を図示する。
【図３】図３は、同じ円形軸を共有し、両方のランナーが支柱によって連結されている、絡み合わせられて螺旋状に巻かれた２本のランナーを備える例示的な本体の上面図を図示する。
【図４】図４は、同じ円形軸を共有し、両方のランナーが支柱によって連結されている、絡み合わせられて螺旋状に巻かれた２本のランナーを備える例示的な本体の等角図を図示する。
【図５】図５は、同じ円形軸を共有し、ワイヤガイドを有し、両方のランナーが支柱によって連結されている、絡み合わせられて螺旋状に巻かれた２本のランナーを備える例示的な本体の上面図を図示する。
【図６】図６は、同じ円形軸を共有し、ワイヤガイドを有し、両方のランナーが支柱によって連結されている、絡み合わせられて螺旋状に巻かれた２本のランナーを備える例示的な本体の等角図を図示する。
【図７】図７は、同じ楕円形軸を共有し、両方のランナーが支柱によって連結されている、絡み合わせられて螺旋状に巻かれた２本のランナーを備える例示的な本体を図示する。
【図８】図８は、同じ円形軸を共有し、両方のランナーが支柱によって連結されており、周囲に伝導性ワイヤが螺旋状に巻かれている、絡み合わせられて螺旋状に巻かれた２本のランナーを備える例示的な本体の上面図を図示する。
【図９】図９は、同じ円形軸を共有し、両方のランナーが支柱によって連結されており、そしてワイヤが本体の両方のランナーの周囲に螺旋状に巻かれている、絡み合わせられて螺旋状に巻かれた２本のランナーを備える例示的な本体の上面図を図示する。
【図１０】図１０は、同心状に配置された２個の本体の例示的な組み合わせ物の上面図を図示する。
【図１１】図１１は、同心状に配置された３個の本体の例示的な組み合わせ物の上面図を図示する。
【図１２】図１２は、１つ以上の実施形態による、被験体に治療を提供するためのシステムを概略的に図示する。
【図１３】図１３は、１つ以上の実施形態による、被験体に治療を提供する方法を図示する。
【図１４】図１４Ａ〜図１４Ｂは、１つ以上の実施形態による、ワイヤをランナーの周囲に配線するための配線図を図示する。
【発明を実施するための形態】
【０００９】
詳細な説明
図１は、例示的な本体１５の側面図を図示する。本体１５は、２本または２本より多くの絡み合わせられて螺旋状に巻かれたランナー（ランナー１６およびランナー１７）を備え得る。ランナー１６とランナー１７とは、支柱１８によって連結され得る。本体１５は、本体１５の反対側に位置する、２つの端部（端部２０および端部２１）を備える。ランナー１６および／または１７は、螺旋と類似であるか、または螺旋と実質的に同じである、三次元曲線の形状に配置され得る。螺旋は、その曲線に沿った任意の点における接線が、軸と呼ばれる（固定された）線に対して一定の角度を有するという事実によって特徴付けられ得る。螺旋のピッチは、１回の３６０度の螺旋巻き（すなわち、回転）の幅（例えば、この螺旋の軸に対して平行に測定される）であり得る。絡み合わせられて螺旋状に巻かれたランナーは、同じ軸を共有し得、合同であり得、そして／またはこの軸に沿った並進が異なり得る（例えば、ピッチの半分であり得る）。図１に示される２本のランナーは、同じ軸２２を共有し得、約３回の完全な回転だけ水平に延びる。従って、本体１５の長さは、軸２２に沿って端部２０から端部２１まで測定される場合、ピッチ２３の長さの約３倍であり得る。螺旋形状は、一定のピッチ、一定の半径（この軸に対して垂直な面内で測定される）、一定のねじれ、一定の曲率、曲率対ねじれの一定の比、および／または直線状の軸を有し得る。図１において、本体１５の半径は、直径２４の半分であり得る。本体１５の形状は、デオキシリボ核酸（ＤＮＡ）の一般的な形状と類似であることが留意される。
【００１０】
非限定的な例として、本体１５のさらなる構造および／または特徴は、米国特許第８，６５３，９２５号（発明の名称「Ｄｏｕｂｌｅ  Ｈｅｌｉｘ  Ｃｏｎｄｕｃｔｏｒ」、２０１４年２月１８日発行、これは、その全体が本開示に参考として援用される）に記載されているかもしれない。この特許はまた、本明細書中で「９２５号特許」と称され得る。
【００１１】
図１において、ランナー１６およびランナー１７の断面の形状は、幅が高さより約３倍大きい矩形であり得る。さらに、ランナー１６またはランナー１７の幅は、本体１５のそのランナーのピッチの約１／１３であり得る。その結果、本体１５のランナー１７は、内側表面２５（螺旋形状の軸２２に面する）と外側表面２６（内側表面２５の逆方向に面する）とを有するリボンに類似である。本体１５のランナー１６は、内側表面２７（螺旋形状の軸２２に面する）と外側表面２８（内側表面２７の逆方向に面する）とを有するリボンに類似である。本開示の実施形態は、与えられる例のいずれによっても限定されることを意図されないことに留意のこと。
【００１２】
ランナー１６、ランナー１７および／または支柱１８は、プラスチック、金属（銅、ニッケル、鉄、軟鉄、ニッケル合金、ならびに／または他の金属および合金が挙げられる）でめっきされたプラスチック、ならびに／あるいは他の材料のうちの１つまたは１つより多くから製造され得る。いくつかの実施形態において、ランナー１６、ランナー１７および支柱１８は、非伝導性材料から製造され得る。ランナー１６、ランナー１７、および／または支柱１８は、異なる材料から製造され得る。ランナー１６、ランナー１７、および／または支柱１８は、一体的な構築物によって製造され得るか、または別々に形成された後に組み立てられ得る。いくつかの実施形態において、ランナー１６、ランナー１７、および／または支柱１８は、磁気を通す材料を含み得る。いくつかの実施形態において、ランナー１６、ランナー１７、および／または支柱１８は、強磁性ではないが伝導性である材料を含み得る。
【００１３】
図２は、支柱１８によって連結された、絡み合わせられて螺旋状に巻かれた２本のランナー（ランナー１６およびランナー１７）を備える例示的な本体１５の等角図を図示する。ここで本体１５は、両方の螺旋状に巻かれたランナーの軸２２が垂直に延びた状態で示されている。
【００１４】
図３は、同じ円形軸４２を共有し、両方のランナーが支柱３８によって連結されている、絡み合わせられて螺旋状に巻かれた２本のランナー（ランナー３６およびランナー３７）を備える例示的な本体３５の上面図を図示する。本体３５の得られる形状は、環と称され得る。本体３５は、本体１５と同じようにかまたは類似に形成され得るが、より多くの回転を含み、この本体を平坦な円の形状に配置し、そして両端（図１の端部２０および端部２１）を一緒に接合することによって、形成される。先の記載は、本体３５と類似であるかまたは実質的に同じである本体の製造（のプロセス）を、いかなる方法でも限定することを意図されない。
【００１５】
図３を参照すると、本体３５の円形軸の直径４４、および円形軸４２全体に沿って完全に延びるために必要とされる、１本のランナーあたりの完全な回転の数は、本体３５の特徴的な数／特性であり得る。例えば、図３に示されるように、本体３５のランナー３６およびランナー３７は、本体３５の円形軸４２の全体に沿って完全に延びるために、円形軸４２の周りで約８回の完全な回転、または他の何回かの回転を必要とし得る。
【００１６】
図３の本体３５の１本または１本より多くの支柱３８は、中心支柱要素３９を備えることに留意のこと。この中心支柱要素は、本体１５の支柱１８にはない。中心支柱要素３９は、本体３５の特定の支柱に関連し得る。
【００１７】
図４は、同じ円形軸を共有し、両方のランナーが支柱３８によって連結されている、絡み合わせられて螺旋状に巻かれた２本のランナー（ランナー３６およびランナー３７）を備える例示的な本体３５の等角図を図示する。図３においてと同様に、図４の本体３５の支柱は、本体１５の支柱１８にはなくてもよい中心支柱要素３９を備え得ることに留意のこと。
【００１８】
図５は、同じ円形軸６２を共有し、そしてワイヤガイド５６を有し、両方のランナーが支柱５９によって連結されている、絡み合わせられて螺旋状に巻かれた２本のランナー（ランナー５７およびランナー５８）を備える例示的な本体５５の上面図を図示する。ランナー５７またはランナー５８の任意の部分が、ワイヤガイド５６を備え得る。ワイヤガイド５６は、ランナー５７またはランナー５８の表面ならびに／あるいは内部に配置された、溝、切欠き、突出物、スロット、および／または他の構造要素を備え得、そしてランナー５７またはランナー５８の表面の少なくとも一部分に沿って、ワイヤを案内するように構成され得る。
【００１９】
このようなワイヤ（本文書に含まれる任意の図に列挙される任意のワイヤとして）は、絶縁されても、絶縁されなくても、部分的に絶縁されて部分的に絶縁されなくてもよい。本明細書中で使用される場合、「ワイヤ」は、捩られたワイヤのセット（交換可能に「捩られたワイヤ」と称される）を含み得、２本の捩られたワイヤのセットが挙げられるが、これに限定されない。１インチあたり、および／またはランナーの１回の螺旋回転あたりの、捩られたワイヤのセットの巻きの数は、このシステムの特徴的な数／特性であり得る。いくつかの実施形態において、捩られたワイヤ１インチあたりの捩りの数は、約２、約５、約１０、約２０、約１００、および／または別の適切な捩り数であり得る。いくつかの実施形態において、交流および／または対応する発生する電磁場の周波数特性は、捩られたワイヤの捩りの数に基づき得、比例し得、そして／または他の態様で関連し得る。例えば、１インチあたりの捩りの数が大きいことは、交流ならびに／あるいは対応する発生する電磁場のより高い動作周波数に対応し得る。いくつかの実施形態において、複数の捩られたワイヤ（例えば、第一のランナーの周囲に巻かれた第一の捩られたワイヤ、および第二のランナーの周囲に巻かれた第二の捩られたワイヤ）は、同じ捩り方向および／または異なる捩り方向を有し得る。いくつかの実施形態において、複数のワイヤ（例えば、捩られたワイヤ）は、同じランナーの周囲に巻かれ得る。いくつかの実施形態において、１本のワイヤは、１本または１本より多くの支柱のうちのいくつかまたは全ての周りに巻かれ得る。
【００２０】
図６は、同じ円形軸を共有し、ワイヤガイド５６を有し、両方のランナーが支柱５９によって連結されている、絡み合わせられて螺旋状に巻かれた２本のランナー（ランナー５７およびランナー５８）を備える例示的な本体５５の等角図を図示する。
【００２１】
図７は、同じ楕円形軸７８を共有し、両方のランナーが支柱７９によって連結されている、絡み合わせられて螺旋状に巻かれた２本のランナー（ランナー７６およびランナー７７）を備える例示的な本体７５を図示する。同じ軸を共有する２本（または２本より多く）の絡み合わせられて螺旋状に巻かれたランナーを備える本体は、任意の平坦な形状（円形、楕円形、三角形、正方形、矩形、角度のある形状、多角形、および／または他の平坦な形状）に配置され得る。代替的に、かつ／または同時に、このような本体は、三次元曲線（すなわち、空間曲線）に配置され得る。図７において、本体７５は、本体１５と類似であるがより多くの回転を有する本体から、この本体を平坦な楕円形状に配置し、そして両端（図１の端部２０および端部２１）を一緒に接合することによって、形成され得る。先の記載は、本体７５と類似であるかまたは実質的に同じである本体の製造（のプロセス）を、いかなる方法でも限定することを意図されない。
【００２２】
図８は、同じ円形軸を共有し、支柱９０によって連結され、そして周囲に伝導性ワイヤ（ワイヤ８６およびワイヤ８７）が螺旋状に巻かれている、絡み合わせられて螺旋状に巻かれた２本のランナー（ランナー８８およびランナー８９）を備える例示的な本体８５の上面図を図示する。ワイヤ８６および／またはワイヤ８７（本文書に含まれる任意の図に列挙される任意のワイヤとして）は、絶縁されても、絶縁されなくても、部分的に絶縁されて部分的に絶縁されなくてもよい。ワイヤ８６および／またはワイヤ８７（本文書に含まれる任意の図に列挙される任意のワイヤとして）は、捩られたワイヤであり得る。本体８５のランナー８８は、ワイヤ８７が周囲に螺旋状に巻かれるコアを形成し得、本体８５のランナー８９は、ワイヤ８６が周囲に螺旋状に巻かれるコアを形成し得る。従って、ワイヤ８６は、ランナー８９と一致する軸を有する螺旋形状に配置され得、ワイヤ８７は、ランナー８８と一致する軸を有する螺旋形状に配置され得る。
【００２３】
ワイヤ８６は、２本のリード線（リード線８６ａおよびリード線８６ｂ）を備え得る。ワイヤ８７は、２本のリード線（リード線８７ａおよびリード線８７ｂ）を備え得る。ワイヤ８６およびワイヤ８７は、伝導性であり得る。本体８５と類似であるかまたは同じである、１個または１個より多くの本体が、ワイヤ８６およびワイヤ８７のうちの一方または両方との電気的連結が（例えば、ワイヤ８６のリード線８６ａおよび８６ｂとの連結を介して、ならびにワイヤ８７のリード線８７ａおよび８７ｂとの連結を通して）確立され得るように配置された１個または１個より多くの電源および／または電流源を有する電気システムにおいて使用され得る。ワイヤ８６に供給される電流は、直流であっても交流であってもよい。ワイヤ８７に供給される電流は、直流であっても交流であってもよい。ワイヤ８６およびワイヤ８７に供給される電流は、同じ方向に流れても逆方向に流れてもよい。交流については、０Ｈｚから４０ＧＨｚの範囲の動作周波数が想定される。ワイヤ８６およびワイヤ８７についての動作周波数は、同じであっても異なっていてもよい。ワイヤ８６およびワイヤ８７に供給される電流の他の電気的動作特徴（例えば、位相、振幅、電力レベル、および／または他の作動特徴）は、同じであっても異なっていてもよい。この電気システムは、本体８５と類似であるかまたは同じである１個または１個より多くの本体の１本または１本より多くのワイヤに電力が供給される場合にもたらされる電磁場を利用するために使用され得る。
【００２４】
図９は、同じ円形軸を共有し、両方のランナーが支柱によって連結されており、そして本体９５の両方のランナーの周囲に螺旋状に巻かれたワイヤ９６を有する、絡み合わせられて螺旋状に巻かれた２本のランナー（ランナー９７およびランナー９８）を備える例示的な本体９５の上面図を図示する。ワイヤ９６は、２本のリード線（リード線９６ａおよびリード線９６ｂ）を備え得る。ワイヤ９６を有する本体９５の得られる形状は、螺旋体の形状と称され得る。本体９５と類似であるかまたは同じである１個または１個より多くの本体は、ワイヤ９６との電気的連結が（例えば、リード線９６ａおよび９６ｂを介して）確立され得るように配置された電源および／または電流源を有する電気システムにおいて使用され得る。ワイヤ９６に供給される電力は、直流を含んでも交流を含んでもよい。ワイヤ９６を通って流れる交流の動作周波数は、０Ｈｚから４０ＧＨｚの範囲であることが想定される。この電気システムは、電力が供給される場合にもたらされる電磁場を利用するために使用され得る。
【００２５】
図１〜図９に示される本体の任意のものが、電気システムにおいて使用され得る。伝導性ワイヤが、１本または１本より多くのランナー、１本または１本より多くの支柱、および／あるいはこれらの任意の組み合わせの周囲に螺旋状に巻かれて、電力がこれらの伝導性ワイヤのうちの１本または１本より多くに供給されるときに特定の電磁的性質を有する、電気システムを製造し得る。
【００２６】
本明細書中に記載される電気システムのうちの任意のものの用途としては、植物および／または他の生物の成長および／または成長速度に影響を与えること、医療用途、治療用途、再生医学、健康用途、農業、ヒトおよび動物の処置、材料科学、エネルギー産生、エネルギー変換、エネルギー転換、アデノシン三リン酸（ＡＴＰ）産生、ＡＴＰ転移、ＡＴＰプロセシング、ならびに／あるいは他の用途が挙げられ得る。
【００２７】
いくつかの実施形態において、図１〜図９に示される本体（および／またはその複数の例）のうちのいずれかを備える電気システムは、電気回路の構成要素として使用され得、（チューナブル）誘導器、（テスラ）コイル、変圧器、変換器、トランジスタ、抵抗器、ソレノイド、電気モータ用の固定子、電磁石、電磁パルス発生機、電磁アクチュエータ、エネルギー変換デバイス、位置サーボ機構、発電機、ステップ電動機、直流電動機、（非接触）リニアドライブ、アキシャルフラックスデバイス（ａｘｉａｌ  ｆｌｕｘ  ｄｅｖｉｃｅ）、透磁率の測定デバイス、双極マグネット、ならびに電子および／または粒子の軌跡を変更するデバイスが挙げられる、１つ以上の機能および／または用途を実施し得る。
【００２８】
説明として、図１０は、本体８５（図８に示される）と類似である２個の本体（第一の本体８５ａおよび第二の本体８５ｂとして示される）を備える電気システム１００を図示する。本体８５ａおよび本体８５ｂは、本明細書中に記載される本体８５（図８に示される）と同じかまたは類似であり得る。本体８５ａは、第一のランナー８８ａおよび第二のランナー８９ａを備え得、これらのランナーは、図８に示されるランナー８８およびランナー８９と類似かまたは同じであり得る。本体８５ｂは、第一のランナー８８ｂおよび第二のランナー８９ｂを備え得、これらのランナーは、図８に示されるランナー８８およびランナー８９と類似かまたは同じであり得る。第一の本体８５ａは、第一の重心１０１を有する環形状に配置され得る。第二の本体８５ｂは、第二の重心１０２を有する環形状に配置され得る。第二の本体８５ｂは、第一の重心１０１の内側で環形状に配置され得る。いくつかの実施形態において、第二の本体８５ｂは、第一の本体８５ａ内に入れ子状にされ得る。
【００２９】
図１０を参照すると、いくつかの実施形態において、第一の本体８５ａおよび第二の本体８５ｂは、第一の本体８５ａの環形状と第二の本体８５ｂの環形状とが同心状になるように、配置され得る。第一の本体８５ａの環形状は、平坦かつ／または二次元であり得る。第二の本体８５ｂの環形状は、平坦かつ／または二次元であり得る。第一の本体８５ａの環形状は、第二の本体８５ｂの環形状と同一面内に配置され得る。いくつかの実施形態において、第一の本体８５ａの環形状と第二の本体８５ｂの環形状とは、平行な面内にあり得る。伝導性ワイヤは、図１０に図示されるようなこれらのランナーの周囲に巻かれ得る。
【００３０】
説明として、図１１は、本体８５（図８に示される）と類似である３個の本体（第一の本体８５ａ、第二の本体８５ｂ、および第三の本体８５ｃとして表される）を備える電気システム１１０を図示する。本体８５ａ、本体８５ｂ、および本体８５ｃは、本明細書中に記載される本体８５（図８に示される）と同じかまたは類似であり得る。本体８５ｃは、第一のランナー８８ｃおよび第二のランナー８９ｃを備え得、これらのランナーは、図８に示されるランナー８８およびランナー８９と類似かまたは同じであり得る。第三の本体８５ｃは、第二の重心１０２の内側で環形状に配置され得る。いくつかの実施形態において、第三の本体８５ｃは、第二の本体８５ｂの内側に入れ子状にされ得る。
【００３１】
図１１を参照すると、いくつかの実施形態において、第一の本体８５ａ、第二の本体８５ｂ、および／または第三の本体８５ｃは、それぞれの環形状が同心状になるように配置され得る。それぞれの環形状は、平坦かつ／または二次元であり得る。それぞれの環形状は、同一面内に配置され得る。いくつかの実施形態において、それぞれの環形状は、平行な面内にあり得る。伝導性ワイヤは、図１１に図示されるようなこれらのランナーの周囲に巻かれ得る。
【００３２】
図１２は、本体８５（図８に示される）と類似である２個の本体（第一の本体８５ａおよび第二の本体８５ｂとして示される（図１０に示されるものと類似かまたは同じである））を備える電気システム１１５を概略的に図示する。電気システム１１５は、ユーザインターフェース１２０、１個もしくは１個より多くの物理プロセッサ１１０、１個もしくは１個より多くのセンサ１４２、電子記憶装置１３０、１個もしくは１個より多くの電流源１２、入力構成要素１１１、再生構成要素１１２、処理構成要素１１３、および／または他の構成要素のうちの１つまたは１つより多くをさらに備え得る。
【００３３】
センサ（単数または複数）１４２は、情報を運ぶ出力信号を発生させるように構成され得る。この情報は、電気生理学的情報および／または他の情報を含み得る。いくつかの実施形態において、１個または１個より多くのセンサ１４２は、オーディオセンサ、マイクロホン、聴診器、圧力センサ、モーションセンサ、近接センサ、電磁センサ、電極、温度センサ、電流センサ、光センサ、電気光学センサ、および／もしくは他のセンサまたはこれらの組み合わせのうちの１つまたは１つより多くを含み得る。いくつかの実施形態において、１個または１個より多くのプロセッサ１１０は、情報処理能力を提供するように、そして／またはコンピュータプログラムの構成要素（入力構成要素１１１、再生構成要素１１２、処理構成要素１１３、および／もしくは他の構成要素が挙げられるが、これらに限定されない）を実行するように、構成され得る。非限定的な例として、センサ１４２、プロセッサ１１０、ユーザインターフェース１２０、電子記憶装置１３０、入力構成要素１１１、再生構成要素１１２、および／または処理構成要素１１３のさらなる構造および／または特徴は、米国特許出願第１４／１９４，４１２号（発明の名称「Ｈｅａｌｔｈ  Ａｐｐｌｉｃａｔｉｏｎｓ  ｆｏｒ  Ｕｓｉｎｇ  Ｂｉｏ−Ｆｅｅｄｂａｃｋ  ｔｏ  Ｃｏｎｔｒｏｌ  ａｎ  Ｅｌｅｃｔｒｏｍａｇｎｅｔｉｃ  Ｆｉｅｌｄ」、２０１４年２月２８日出願、これは、その全体が本開示に参考として援用される）に記載されているかもしれない。この出願はまた、本明細書中で「４１２号出願」と称され得る。
【００３４】
１個または１個より多くの電流源１２は、電気リード線（第一の本体８５ａおよび／または第二の本体８５ｂのランナーの周囲に巻かれた１本または１本より多くの伝導性ワイヤの電気リード線が挙げられるが、これらに限定されない）を流れる１または１より多くの電流を誘導するように構成され得る。いくつかの実施形態において、この１または１より多くの電流は、１または１より多くの交流を含み得る。いくつかの実施形態において、１または１より多くの誘導電流は、１または１より多くの、センサにより発生させられる出力信号に対応し得る。いくつかの実施形態において、この１または１より多くの誘導電流は、システム１１５の変換器および／または１個もしくは１個より多くの他の構成要素によって発生させられた、１つまたは１つより多くの信号に対応し得る。
【００３５】
図１２を参照すると、いくつかの実施形態において、第一の本体８５ａのランナー８８ａおよび８９ａの周囲に巻かれた伝導性ワイヤに供給される電流は、１つまたは１つより多くの電気的特徴（周波数、振幅、電力レベル、および／または他の電気的動作特徴が挙げられるが、これらに限定されない）に関して、同じかまたは類似であり得る。いくつかの実施形態において、第一の本体８５ａのランナー８８ａおよび８９ａの周囲に巻かれた伝導性ワイヤに供給される電流の１つまたは１つより多くの電気的特徴は、異なり得る。代替的に、かつ／または同時に、第二の本体８５ｂのランナー８８ｂおよび８９ｂの周囲に巻かれた伝導性ワイヤに供給される電流は、１つまたは１つより多くの電気的特徴（周波数、振幅、電力レベル、および／または他の電気的動作特徴が挙げられるが、これらに限定されない）に関して、同じかまたは類似であり得る。いくつかの実施形態において、第二の本体８５ｂのランナー８８ｂおよび８９ｂの周囲に巻かれた伝導性ワイヤに供給される電流の１つまたは１つより多くの電気的特徴は、異なり得る。
【００３６】
いくつかの実施形態において、第一の本体８５ａに供給される電流の１つまたは１つより多くの電気的動作特徴は、第二の本体８５ｂに供給される電流と同じかまたは類似であり得る。例えば、両方の本体は、１００Ｈｚの交流を供給され得る。いくつかの実施形態において、第一の本体８５ａに供給される電流の１つまたは１つより多くの電気的動作特徴は、第二の本体８５ｂに供給される電流と異なり得る。例えば、第一の本体８５ａに供給される交流の周波数（これは、第一の周波数と称され得る）は、第二の本体８５ｂに供給される交流の周波数（これは、第二の周波数と称され得る）と異なり得る。例えば、第一の本体８５ａに供給される電流は１Ａであり得、一方で、第二の本体８５ｂに供給される電流は、２Ａまたは３Ａであり得る。例えば、第二の本体８５ｂに供給される電流は１Ａであり得、一方で、第一の本体８５ａに供給される電流は、２Ａまたは３Ａであり得る。他の因数および／または比が、本開示の範囲内であるとみなされる。
【００３７】
いくつかの実施形態において、第一の本体８５ａに供給される交流は、第一の電流と称され得、そして第二の本体８５ｂに供給される交流は、第二の電流と称され得る。いくつかの実施形態において、第一の電流および／または第二の電流は、キャリア信号および変調信号を含み得る。いくつかの実施形態において、第一の電流のために使用されるキャリア信号と第二の電流のために使用されるキャリア信号とは、類似かまたは同じであり得、例えば、同じ周波数を有し得る。いくつかの実施形態において、第一の電流および／または第二の電流のために使用されるキャリア信号は、無線周波数信号であり得る。本明細書中で使用される場合、無線周波数とは、約３０ｋＨｚから約３０ＧＨｚの周波数をいい得る。いくつかの実施形態において、第一の電流および／または第二の電流のための変調信号は、振幅変調、周波数変調、位相変調、デジタル変調、および／または他の型の変調のうちの１つまたは１つより多くによって、変調され得る。いくつかの実施形態において、第一の電流のための変調信号は、第一の周波数を含み得る。第二の電流のための変調信号は、第二の周波数を含み得る。
【００３８】
いくつかの実施形態において、第一の周波数と第二の周波数とは、音程（例えば、音楽用の音程および／または協和音程）を形成し得る。この音程は、特定の型の音楽用のチューニング（１２音平均律の音楽用のチューニングが挙げられるが、これに限定されない）によって規定され得る。第一の周波数と第二の周波数とは、比（例えば、Ｎ／Ｍに約分され得る、小さい整数の比であり、ここでＮとＭとの両方は、５０より小さい）を形成し得る。
【００３９】
いくつかの実施形態において、第一の周波数および第二の周波数は、周波数発生機および／または器具（楽器）によって発生させられた、音、音色、またはコード（和音）のオーディオ録音に基づき得る。例えば、第一の周波数は、中央ハ音の上のイ音（Ａ４とも称され、これは使用されるチューニングシステムに依存して、約４３２Ｈｚの周波数を有する音を含み得る）を弾くピアノの音に基づき得る。例えば、第二の周波数は、Ａ４と協和音程の音（例えば、Ｅ５であり、これは、約６４８Ｈｚの周波数を有する音を含み得る）を弾く、同じ楽器（例えば、ピアノ）の音に基づき得る。このチューニングは、ピタゴラス音律と称され得る。数学的に完璧なチューニングは、３：２の比を有する音を組み合わせ得る。異なる型のチューニング（またはチューニングシステム）（平均律チューニング（ｅｑｕａｌ  ｔｅｍｐｅｒｅｄ  ｔｕｎｉｎｇ）が挙げられるが、これに限定されない）が使用され得、そして本開示の範囲内であるとみなされる。
【００４０】
いくつかの実施形態において、電気システムは、図１１に図示されるように、３個の本体を備え得る。これらの３個の本体に供給される交流は、異なる周波数（例えば、第一の周波数、第二の周波数、および第三の周波数）を有する音に基づき得る。これらの３つの周波数は、音程（例えば、音楽用の音程および／または協和音程であり、コードが挙げられるがこれに限定されない）を形成し得る。例えば、第一の周波数は８８０Ｈｚ（Ａ５）であり得、第二の周波数は、約１０４６．５０（Ｃ６）であり得、そして第三の周波数は約１３１８．５１Ｈｚ（Ｅ６）であり得、これによって、Ａマイナーコードを形成し得る。いくつかの実施形態において、協和音程のセットは、異なるチューニングを使用して得られ得る。例えば、協和音を形成する組み合わせは、８８０Ｈｚの音と、１３２０Ｈｚの音と、１６６０Ｈｚの音とであり得る。
【００４１】
プロセッサ１１０は、デジタルプロセッサ、アナログプロセッサ、情報を処理するように設計されたデジタル回路、中央処理装置、画像処理装置、情報を処理するように設計されたアナログ回路、および／または情報を電子的に処理するための他の機構のうちの１つまたは１つより多くを含み得る。プロセッサ１１０は、図１２において、１個の実体として図示されているが、これは説明の目的のみである。いくつかの実施形態において、プロセッサ１１０は、複数の処理装置を含み得る。
【００４２】
構成要素１１１〜１１３は、図１２において、１個の処理装置内に一緒に位置するように図示されているが、プロセッサ１１０が複数の処理装置を含む実施形態において、構成要素１１１〜１１３のうちの１つまたは１つより多くは、他の構成要素から遠隔に位置し得ることが理解されるべきである。本明細書中に記載される異なる構成要素１１１〜１１３によって提供される機能の説明は、説明の目的であり、限定することを意図されない。なぜなら、構成要素１１１〜１１３のいずれもが、記載されるより多い機能または少ない機能を提供し得るからである。例えば、構成要素１１１〜１１３のうちの１つまたは１つより多くは、除去され得、そしてその機能のうちのいくつかまたは全ては、構成要素１１１〜１１３のうちの他のものによって、組み込まれ得、共有され、統合され、そして／または他の態様で提供され得る。プロセッサ１１０は、構成要素１１１〜１１３のうちの１つの下に属する機能のうちのいくつかまたは全てを実施し得る、１つまたは１つより多くのさらなる構成要素を実行するように構成され得ることに留意のこと。
【００４３】
入力構成要素１１１は、情報を、例えば１個または１個より多くのデジタルオーディオファイルから、あるいは代替的に、かつ／または同時に、センサが発生させる出力信号に基づいて、得るように構成され得る。いくつかの実施形態において、この情報は、記憶装置（例えば、電子記憶装置）から得られ得る。記憶装置から得られた情報は、任意の形式（ＭＰ３、ＷＭＡ、ＷＡＶ、ＡＩＦＦ、および／または他のオーディオ形式が挙げられるが、これらに限定されない）の電子オーディオファイルを含み得る。いくつかの実施形態において、情報は、音源（周波数発生機、蓄音機、ＣＤプレイヤー、ＤＶＤプレイヤー、ＡＭラジオ、ＦＭラジオ、および／または他の音源が挙げられる）から得られ得る。
【００４４】
処理構成要素１１３は、入力構成要素１１１からの得られた情報を処理するように構成され得る。いくつかの実施形態において、処理構成要素１１３は、入力構成要素１１１からの得られた情報に基づいて、処理された信号を発生させるように構成され得る。例えば、処理モジュール１１３は、入力モジュール１１１からの情報または信号を変換し、フィルタリングし、変更し、そして／または他の態様で転換して、処理された信号を発生させ得る。
【００４５】
再生構成要素１１２は、音響信号を、入力構成要素１１１からの得られた情報および／または処理構成要素１１３からの処理された信号のうちの１つまたは１つより多くに基づいて、生成するように構成され得る。再生構成要素１１２によって生成された音響信号は、本体８５ａおよび／または本体８５ｂの１本または１本より多くのランナーの周囲に巻かれた１本または１本より多くの伝導性ワイヤのリード線に電気的に連結され得、その結果、その誘導電流は、この音響信号に対応し、そして／またはこの音響信号に基づく。代替的に、かつ／または同時に、この誘導電流は、再生構成要素１１２によって生成された音響信号によって制御され得、そして／またはこの音響信号に基づき得る。いくつかの実施形態において、再生モジュール１１２によって生成された音響信号は、１本または１本より多くの伝導性ワイヤのリード線に電気的に連結される前に、増幅器によって増幅され得る。いくつかの好ましい実施形態において、この増幅器は、１００Ｗから４００Ｗの範囲の音響増幅器であり得る。他の型の音響増幅器および／または異なる電力範囲を有する音響増幅器もまた、想定される。
【００４６】
図１４Ａは、本開示の他の箇所に記載されるような、２本または２本より多くの絡み合わせられて螺旋状に巻かれたランナーを有する本体の１本または１本より多くのランナーの周囲に、捩られたワイヤ１４２１および／または捩られたワイヤ１４２２を配線するための配線図１４０１を図示する。いくつかの実施形態において、捩られたワイヤ１４２１は、第一のランナー（例えば、図８に示されるランナー８８と同じかまたは類似）の周囲に巻かれ得る。１つまたは１つより多くの信号が、捩られたワイヤ１４２１に、４本のリード線（図１４Ａにおいて円で囲まれた正記号または負記号により示される）を通して提供され得る。捩られたワイヤ１４２１に提供される信号は、周波数発生機、器具（楽器）、および／または別の音源によって発生させられた、音、音色、または和音のオーディオ録音に基づき得る。非限定的な例として、この信号は、入力構成要素（例えば、図１２に示される入力構成要素１１１と同じかもしくは類似）によって得られた情報、処理構成要素（例えば、図１２に示される処理構成要素１１３と同じかもしくは類似）によって発生させられた処理された信号、再生構成要素（例えば、図１２に示される再生構成要素１１２と同じかもしくは類似）によって生成された音響信号、および／または音響増幅器１４０５からの増幅された信号と類似であり得るか、またはこれらに基づき得る。いくつかの実施形態において、音響増幅器１４０５は、複数のオーディオチャネル（例えば、図１４Ａにおいて標識「ａ」および「ｂ」により表されるチャネル「ａ」およびチャネル「ｂ」）を支持し得る。音響増幅器１４０５のチャネル「ａ」の信号は、「Ｆ１」の標識を付けられる。いくつかの実施形態において、信号Ｆ１は、特定の周波数を実質的に含み得、そして／または特定の周波数に基づき得る。図１４Ａに示されるように、信号Ｆ１の正の側は、捩られたワイヤ１４２１の４本のリード線のうちの２本に電気的かつ／または動作可能に接続され得、ここでこれらの２本の選択されるリード線は、捩られたワイヤ１４２１の両端にある。信号Ｆ１の負の側は、捩られたワイヤ１４２１の４本のリード線のうちの残りの２本に電気的かつ／または動作可能に接続され得、ここでこれらのリード線は、捩られたワイヤ１４２１の両端にあり得る。
【００４７】
いくつかの実施形態において、配線図１４０１は、第二の捩られたワイヤ１４２２を含み得る。いくつかの実施形態において、捩られたワイヤ１４２２は、第二のランナー（例えば、図８に示されるランナー８９と同じかまたは類似）の周囲に巻かれ得る。１つまたは１つより多くの信号が、捩られたワイヤ１４２２に、４本のリード線（図１４Ａにおいて円で囲まれた正記号または負記号により示される）を通して提供され得る。捩られたワイヤ１４２２に提供される信号は、いくつかの実施形態において、捩られたワイヤ１４２１に提供される信号（例えば、Ｆ１信号）と同じであり得る。いくつかの実施形態において、捩られたワイヤ１４２２に提供される信号は、音響増幅器１４０５のチャネル「ｂ」によって提供され得る。いくつかの実施形態において、捩られたワイヤ１４２２に提供される信号は、音響増幅器１４１０の１個または１個より多くのチャネルにより提供され得る。音響増幅器１４１０の信号は、「Ｆ２」の標識を付けられる。いくつかの実施形態において、信号Ｆ２は、特定の周波数を実質的に含み得、そして／または特定の周波数に基づき得る。この特定の周波数は、信号Ｆ１について使用される周波数と異なる周波数であり得る。例えば、信号Ｆ１は、２５０Ｈｚの周波数に基づき得、そして信号Ｆ２は、信号Ｆ１の周波数の４倍の周波数（例えば、１０００Ｈｚ）に基づき得る。同様に、信号Ｆ１およびＦ２は、非限定的な例として、それぞれ２１６Ｈｚおよび８６４Ｈｚであり得る。図１４Ａに示されるように、信号Ｆ２の正の側は、捩られたワイヤ１４２２の両端にある、捩られたワイヤ１４２２の２本の正のリード線に電気的かつ／または動作可能に接続され得る。信号Ｆ２の負の側は、捩られたワイヤ１４２２の両端にある、捩られたワイヤ１４２２の２本の負のリード線に電気的かつ／または動作可能に接続され得る。
【００４８】
図１４Ｂは、本開示の他の箇所に記載されるような、絡み合わせられて螺旋状に巻かれた２本のランナーを有する本体の２本のランナーの周囲に、捩られたワイヤ１４３１および捩られたワイヤ１４３２を配線するための配線図１４０２を図示する。いくつかの実施形態において、捩られたワイヤ１４３１は、第一のランナー（例えば、図８に示されるランナー８８と同じかまたは類似）の周囲に巻かれ得る。いくつかの実施形態において、捩られたワイヤ１４３２は、第二のランナー（例えば、図８に示されるランナー８９と同じかまたは類似）の周囲に巻かれ得る。１つまたは１つより多くの信号は、捩られたワイヤ１４３１に、４本のリード線を通して提供され得、そして捩られたワイヤ１４３２に、４本のリード線を通して提供され得る（図１４Ｂにおいて円で囲まれた正記号または負記号により示される）。いくつかの実施形態において、捩られたワイヤ１４３１および１４３２に提供される信号は、複数のオーディオチャネル（例えば、図１４Ｂにおいて標識「ａ」および「ｂ」により表されるようなチャネル「ａ」およびチャネル「ｂ」）を支持する音響増幅器１４１５によって提供され得る。音響増幅器１４１５のチャネル「ａ」の信号は、「Ｆ１」の標識を付けられる。音響増幅器１４１５のチャネル「ｂ」の信号は、「Ｆ２」の標識を付けられる。図１４Ｂに示されるように、信号Ｆ１の正の側は、捩られたワイヤ１４３１および１４３２の８本のリード線のうちの２本に電気的かつ／または動作可能に接続され得、ここでこれらの２本の選択されるリード線は、両端にある。信号Ｆ１の負の側は、捩られたワイヤ１４３１および１４３２の他の２本のリード線に電気的かつ／または動作可能に接続され得、これらは、捩られたワイヤ１４２１の両端にあり得る。図１４Ｂに示されるように、信号Ｆ２の正の側は、捩られたワイヤ１４３１および１４３２の８本のリード線のうちの２本に電気的かつ／または動作可能に接続され得、ここでこれらの２本の選択されるリード線は、両端にある。信号Ｆ２の負の側は、捩られたワイヤ１４３１および１４３２の他の２本のリード線に電気的かつ／または動作可能に接続され得、これらは、捩られたワイヤ１４２１の両端にあり得る。配線図１４０２を使用するいくつかの実施形態において、信号Ｆ１は、２５０Ｈｚの周波数に基づき得、そして信号Ｆ２は、信号Ｆ１の周波数の４倍の周波数（例えば、１０００Ｈｚ）に基づき得る。同様に、信号Ｆ１およびＦ２は、非限定的な例として、それぞれ２１６Ｈｚおよび８６４Ｈｚであり得る。
【００４９】
いくつかの実施形態において、配線図１４０１および／または配線図１４０２に示されるように、絡み合わせられて螺旋状に巻かれた２本のランナーの周囲の２本の捩られたワイヤの配線は、２個、３個、またはより多くの本体が互いに近接して配置されている電気システムを配線するための基礎として使用され得る。このような電気システムは、図１０に示されるシステム１００、または図１１に示されるシステム１１０と、同じかまたは類似であり得る。例えば、それぞれが絡み合わせられて螺旋状に巻かれた２本のランナーを備える２個の本体を使用する電気システムにおいて、その４本のランナーは、合計１６本のリード線を有する４本の捩られたワイヤで巻かれ得る。これらのリード線は、１個、２個、および／もしくは４個の音響増幅器、ならびに／またはそのチャネル（これらは、音響増幅器１４０５、音響増幅器１４１０、および／または音響増幅器１４１５（例えば、チャネル「ａ」および「ｂ」を使用する）と同じかまたは類似である）に電気的かつ／または動作可能に接続されるために使用され得る。
【００５０】
図１２のシステム１１５の電子記憶装置１３０は、情報を電子的に格納する電子記憶媒体を備える。電子記憶装置１３０の電子記憶媒体は、システム１１５と一体的に提供される（すなわち、実質的にリムーバブルでない）システム記憶装置、および／または例えば、ポート（例えば、ＵＳＢポート、ファイアワイヤポートなど）もしくはドライブ（例えば、ディスクドライブなど）を介してシステム１１５に接続可能であるリムーバブル記憶装置のうちの一方または両方を含み得る。電子記憶装置１３０は、光読み取り可能記憶媒体（例えば、光ディスクなど）、磁気読み取り可能記憶媒体（例えば、磁気テープ、磁気ハードドライブ、フロッピー（登録商標）ドライブなど）、電荷ベースの記憶媒体（例えば、ＥＰＲＯＭ、ＥＥＰＲＯＭ、ＲＡＭなど）、ソリッドステート記憶媒体（例えば、フラッシュドライブなど）、および／または他の電子読み取り可能記憶媒体のうちの１つまたは１つより多くを含み得る。電子記憶装置１３０は、ソフトウェアアルゴリズム、プロセッサ１１０により決定される情報、ユーザインターフェース１２０を介して受信される情報、および／またはシステム１１５が適切に機能することを可能にする他の情報を格納し得る。例えば、電子記憶装置１３０は、音声情報および／または電子オーディオファイル（本明細書中の他の箇所で議論されるような）、ならびに／あるいは他の情報を格納し得る。電子記憶装置１３０は、システム１１５内の別の構成要素であり得るか、または電子記憶装置１３０は、システム１１５の１つもしくは１つより多くの他の構成要素（例えば、プロセッサ１１０）と一体的に提供され得る。
【００５１】
図１２のシステム１１５のユーザインターフェース１２０は、システム１１５とユーザ（例えば、ユーザ１０８、被験体１０６、治療奉仕者、治療決定者など）との間にインターフェースを提供するように構成される。このインターフェースを介して、ユーザはシステム１１５に情報を提供し得、そしてシステム１１５から情報を受信し得る。このことは、データ、結果、および／または命令ならびに他の任意の通信可能な項目（「情報」と総称される）が、ユーザとシステム１１５との間で通信されることを可能にする。ユーザ１０８に運ばれ得る情報の例は、再生モジュール１１２によって生成される音響信号の音量および／または強度の指標である。ユーザインターフェース１２０に含まれるのに適切なインターフェースデバイスの例としては、キーパッド、ボタン、スイッチ、キーボード、ノブ、レバー、表示スクリーン、タッチスクリーン、スピーカー、マイクロホン、表示灯、可聴警告音、およびプリンターが挙げられる。情報は、ユーザ１０８または被験体１０６に、ユーザインターフェース１２０によって、聴覚信号、視覚信号、触覚信号、および／または他の感覚信号の形態で提供され得る。
【００５２】
他の通信技術（固定配線または無線のいずれか）もまた、本明細書中においてユーザインターフェース１２０として想定されることが理解されるべきである。例えば、１つの実施形態において、ユーザインターフェース１２０は、電子記憶装置１３０によって提供されるリムーバブル記憶インターフェースと一体化され得る。この例において、情報は、システム１１５にリムーバブル記憶装置（例えば、スマートカード、フラッシュドライブ、リムーバブルディスクなど）からロードされ、このことは、ユーザ（単数または複数）がシステム１１５をカスタマイズすることを可能にする。システム１１５と一緒にユーザインターフェース１２０として使用するために適合された他の例示的な入力デバイスおよび技術としては、ＲＳ−２３２ポート、ＲＦリンク、ＩＲリンク、モデム（電話、ケーブル、イーサネット（登録商標）、またはインターネットなど）が挙げられるが、これらに限定されない。要約すれば、システム１１５と情報を通信するための任意の技術が、ユーザインターフェース１２０として想定される。
【００５３】
図１３は、治療を被験体に提供する方法１３００を図示する。以下に提示される方法１３００の動作は、例証的であることを意図される。特定の実施形態において、方法１３００は、記載されない１つまたは１つより多くのさらなる動作を伴って、そして／あるいは議論される動作のうちの１つまたは１つより多くを伴わずに、達成され得る。さらに、方法１３００の動作が図１３に図示されて以下に記載される順序は、限定であることを意図されない。
【００５４】
特定の実施形態において、方法１３００は、１つまたは１つより多くの処理デバイス（例えば、デジタルプロセッサ、アナログプロセッサ、情報を処理するように設計されたデジタル回路、情報を処理するように設計されたアナログ回路、および／または情報を電子的に処理するための他の機構）で実施され得る。１つまたは１つより多くの処理デバイスは、方法１３００の動作のうちのいくつかまたは全てを、電子記憶媒体に電子的に格納された命令に応答して実施する、１つまたは１つより多くのデバイスを備え得る。１つまたは１つより多くの処理デバイスは、方法１３００の動作のうちの１つまたは１つより多くの実施のために特に設計されるように、ハードウェア、ファームウェア、および／またはソフトウェアを介して構成された、１つまたは１つより多くのデバイスを備え得る。
【００５５】
方法１３００に関して、動作１３０２において、電気システムが、被験体上またはその近傍に配置される。この電気システムは、第一の本体および第二の本体を備える。この第一の本体は、第一のランナーおよび第二のランナーを備える。この第一のランナーとこの第二のランナーとは、螺旋状に絡み合わせられている。この第一の本体は、第一の重心を有する第一の環形状に配置される。第一の伝導性ワイヤが、この第一のランナーの周囲に巻かれ、そして第二の伝導性ワイヤが、この第二のランナーの周囲に巻かれる。この第二の本体は、第三のランナーおよび第四のランナーを備える。この第三のランナーとこの第四のランナーとは、螺旋状に絡み合わせられている。この第二の本体は、第二の重心を有する第二の環形状に配置される。第三の伝導性ワイヤが、この第三のランナーの周囲に巻かれ、そして第四の伝導性ワイヤが、この第四のランナーの周囲に巻かれる。この第二の本体は、この第一の重心の内側で第二の環形状に配置される。この第一の本体とこの第二の本体とは、この第一の環形状とこの第二の環形状とが同心状になるように配置される。いくつかの実施形態において、動作１３０２は、電気システム１１５（図１２に示され、本明細書中に記載されている）と同じかまたは類似である電気システムによって実施される。
【００５６】
動作１３０４において、１つまたは１つより多くの交流が、第一の伝導性ワイヤ、第二の伝導性ワイヤ、第三の伝導性ワイヤ、および第四の伝導性ワイヤを通して誘導され、その結果、この１つまたは１つより多くの交流は、電磁場を、第一の重心および第二の重心のうちの少なくとも１つまたはその近傍においてもたらす。この電磁場は、被験体に治療を提供する。いくつかの実施形態において、動作１３０４は、電流源１２（図１２に示され、本明細書中に記載されている）と同じかまたは類似である１個または１個より多くの電流源によって実施される。
【００５７】
動作１３０６において、情報が、物理プロセッサによって得られる。いくつかの実施形態において、動作１３０６は、プロセッサ１１０および／または入力構成要素１１１（図１２に示され、本明細書中に記載されている）と同じかまたは類似である、プロセッサおよび／またはコンピュータプログラム構成要素によって実施される。
【００５８】
動作１３０８において、この得られた情報が処理され、そしてこの得られた情報に基づいて、処理された信号が発生させられる。いくつかの実施形態において、動作１３０８は、処理構成要素１１３（図１２に示され、本明細書中に記載されている）と同じかまたは類似である処理構成要素によって実施される。
【００５９】
動作１３１０において、音響信号が、この処理された信号に基づいて生成される。誘導される１つまたは１つより多くの交流は、この生成された音響信号に基づく。いくつかの実施形態において、動作１３１０は、再生構成要素１１２（図１２に示され、本明細書中に記載されている）と同じかまたは類似である再生構成要素によって実施される。
【００６０】
本発明は、最も実践的かつ好ましい実施形態であると現在見なされるものに基づいて、例証の目的のために詳細に説明されたが、そのような詳細は、もっぱらそのような目的のためのものであること、ならびに本発明は、開示される実施形態に限定されず、逆に、添付の特許請求の範囲の趣旨および範囲内にある修正および同等の配列を網羅することを意図することが理解されるべきである。例えば、本発明は、可能な範囲において、任意の実施形態の１つ以上の特徴が、任意の他の実施形態の１つ以上の特徴と組み合わせられ得ることを想定することが理解されるべきである。
【符号の説明】
【００６１】
１５  本体
１６  ランナー
１７  ランナー
１８  支柱
【図１】
2015085195.tif 000003
【図２】
2015085195.tif 000004
【図３】
2015085195.tif 000005
【図４】
2015085195.tif 000006
【図５】
2015085195.tif 000007
【図６】
2015085195.tif 000008
【図７】
2015085195.tif 000009
【図８】
2015085195.tif 000010
【図９】
2015085195.tif 000011
【図１０】
2015085195.tif 000012
【図１１】
2015085195.tif 000013
【図１２】
2015085195.tif 000014
【図１３】
2015085195.tif 000015
【図１４】
2015085195.tif 000016